(57)【特許請求の範囲】
【請求項１】
芯棒に糸が巻かれた糸巻を収納するとともに、収納した状態で糸巻から糸を引出して使用するための糸巻のケースであって、
前記糸巻を仮保持する副ケースと、その副ケースに仮保持された状態の糸巻を収納する主ケースから成り、
前記副ケースは、前記糸巻の端部が遊挿可能な寸法の一対の底付き円筒から成り、各底付き円筒は糸巻の両端に対となって被せられ、糸巻の芯棒に対して取り外し可能となっており、前記主ケースは、前記副ケースが被せられた糸巻が収納可能な寸法の筒状を成し、その筒状は一端がフランジとなっており、周面に孔を有し、その他端に前記フランジと合同な形状の蓋を有し、副ケースが取り付けられた状態で収納された糸巻の糸を前記孔から引き出して使用するようにしたことを特徴とする糸巻のケース。
【請求項２】
上記副ケースの対の底付き円筒は、それぞれの円筒内部に円筒底面の中心に同芯で垂直な軸を有し、その軸の一方はその端面から長さ方向に沿って所定の区間が中空で、その中空に他方の軸が嵌入して互いに抜き差し可能となっており、かつ、前記糸巻の芯棒は中空となっており、その芯棒の両端から前記対の底付き円筒の軸のそれぞれを挿入し、軸同士が芯棒内で嵌入して副ケースと糸巻が組み立てられ、その軸は芯棒内で遊挿可能となっていることを特徴とする請求項１に記載の糸巻のケース。
【請求項３】
上記底付き円筒内の底面に緩衝層を設けたことを特徴とする請求項１又は２に記載の糸巻のケース。
【発明の詳細な説明】
【０００１】
【発明の属する技術分野】
この発明は糸巻のケースに関する。
【０００２】
【従来の技術】
土地の測量において使用される水糸等の糸は、通常は円筒、円柱あるいは角柱等の筒状のリールや芯棒に巻かれて保持されている。
【０００３】
【発明が解決しようとする課題】
上記の場合、糸の使用時には糸をリールや芯棒から引き出して使用するが、使用すると泥やゴミで汚れるので、そのような糸を再使用しようとしてリールや芯棒に巻き戻すと、リールに残っている未使用の糸に泥がしみ込んだりゴミが付着したりして、それらの糸が使いづらくなる。
【０００４】
また、泥やゴミによることだけでなく、一度引き出した糸をリールの残糸の上に重ねて巻き取ると、残糸に喰い込み、そういった点からも残糸が引出しにくくなるという不具合がある。
【０００５】
そこで、この発明の課題は、水引等に使う糸を、再使用が可能なように収納でき、収納されている未使用の部分の糸もスムーズに取り出せて使えるように糸を収納できるようにすることにある。
【０００６】
【課題を解決するための手段】
上記課題を解決するため、この発明は、芯棒に糸が巻かれた糸巻を収納するとともに、収納した状態で糸巻から糸を引出して使用するための糸巻のケースであって、前記糸巻を仮保持する副ケースと、その副ケースに仮保持された状態の糸巻を収納する主ケースから成り、前記副ケースは、前記糸巻の端部が遊挿可能な寸法の一対の底付き円筒から成り、各底付き円筒は糸巻の両端に対となって被せられ、糸巻の芯棒に対して取り外し可能となっており、前記主ケースは、前記副ケースが被せられた糸巻が収納可能な寸法の筒状を成し、その筒状は一端がフランジとなっており、周面に孔を有し、その他端に前記フランジと合同な形状の蓋を有し、副ケースが取り付けられた状態で収納された糸巻の糸を前記孔から引き出して使用するようにしたのである（請求項１）。
【０００７】
このようにすると、糸巻の両端が副ケースで保持されて直接主ケースに触れることはなく、糸を引き出す際に糸巻がスムーズに回転し、主ケース外に引き出した糸を再使用する際には、それを主ケースの周面に巻き付けておけば、主ケース内の残糸に触れることがないので、使用した糸が汚れていた場合等に、その汚れが主ケース内の残糸に触れることがない。また、巻き付ける力が残糸に加わることもない。
【０００８】
この構成において、上記副ケースの対の底付き円筒は、それぞれの円筒内部に円筒底面の中心に同芯で垂直な軸を有し、その軸の一方はその端面から長さ方向に沿って所定の区間が中空で、その中空に他方の軸が嵌入して互いに抜き差し可能となっており、かつ、前記糸巻の芯棒は中空となっており、その芯棒の両端から前記対の底付き円筒の軸のそれぞれを挿入し、軸同士が芯棒内で嵌入して副ケースと糸巻が組み立てられ、その軸は芯棒内で遊挿可能とした構成とし得る（請求項２）。そのようにすれば、糸巻に対する副ケースの取り付けが固定式ではなく、取り外し自在の取り付け仕様となる。
【０００９】
上記構成において、上記底付き円筒内の底面に緩衝層を設けることができ（請求項３）、そのようにすれば、ケースが衝撃を受けた際、その緩衝層により糸巻に伝わる衝撃を和らげ、糸巻の型崩れを防ぐことができる。
【００１０】
【実施の形態】
以下、図を参照してこの発明の実施の形態を説明する。この実施形態の糸巻のケースは、図１に示すように、糸巻を仮保持する副ケース１と、その副ケース１に仮保持される糸巻を収納する主ケース１１から成る。
【００１１】
図２に示す糸巻２１は、その芯棒２２が中空の丸棒で、その一端から他端まで糸２３が巻かれて円柱状を成したものである。
【００１２】
前記副ケース１は、図１に示すように、前記糸巻２１の端部が遊挿可能な寸法のプラスチックで形成された対の底付き円筒２、４から成り、後に示すように、それぞれが糸巻２１の両端に取り付けられる。各底付き円筒２、４の内部には円筒底面の中心に同芯で垂直な軸３、５が立設されており、一方の底付き円筒２の軸３はその端面から長さ方向に沿って所定の区間が中空で、その中空に他方の底付き円筒４の軸５が嵌入して互いに抜き差し可能となっている。差し込み側の軸５は、相手側の軸３に挿入し易いよう、その先端５’が楔状になっている。そして、図３に示すように、それらの軸３、５を糸巻２１の芯棒２２の両端から挿入し、芯棒２２内で一方の軸５を他方の軸３に嵌入させ、副ケース１と糸巻２１を組み立てる。このようにして、この実施形態の副ケース１は糸巻２１の芯棒２２に対して取り外し可能となっており、糸巻２１の糸がなくなっても、副ケース１はそのまま再使用可能となる。
【００１３】
なお、副ケース１の底付き円筒２、４内の底面にはウレタン６が敷かれており、このウレタン６は、ケースが衝撃を受けた際に、それにより、糸巻２１の端部に伝わる衝撃を和らげ、糸巻２１の型崩れを防ごうとする緩衝材の役割を果たすものである。このような緩衝材としては、ウレタンに限らず、他の弾性材を使用してもよい。
【００１４】
他方、前記主ケース１１は、図１に示すように、前記副ケース１が取り付けられた円柱状の糸巻２１が収納可能な寸法の円筒１２で、副ケース１と同様、プラスチックで形成されている。その底部１３は正８角形状のフランジとなっており、円筒１２の軸と同芯の穴１３’が空けられている。また、円筒１２の周面の軸方向中央には孔１４が設けられている。これら、孔１４や穴１３’の意味についてはこの糸巻ケースの使用の説明の際に述べる。
【００１５】
そして、この円筒１２の他端には、前記底部１３のフランジと合同な形状（正８角形）の蓋１５が嵌め込まれ、その蓋１５にも円筒１２の軸と同芯の穴１５’が空けられている。この主ケース１１の蓋１５には、引き出した糸を円筒周面に巻止めておく際にその糸の端部を仮止めするための切り込み１６と、引き出した糸２３を切って使い捨てるためのカッタ片１７が組み込まれている。このような構造の実施形態の糸巻ケースは、以下のようにして使用される。
【００１６】
先ず、主ケース１１に、図４に示すように前記副ケース１が取り付けられた状態の糸巻２１を収納し、図５に示すように糸巻２１の糸２３の一端を主ケース１１の円筒１２周面の孔１４から引き出す。糸２３を水引きとして使用する際には、図６に示すように引き出した糸２３のケース寄りの部分を円筒１２の周面に巻き付け、糸２３の他端を張るようにする。そうすることにより、その引き出した糸２３は主ケース１１内の残糸とは縁切りされているので、糸２３を張っても主ケース１１内の残糸に力が加わることがなく、残糸の引出しが常にスムーズに行える。
【００１７】
また、前記したように、芯棒２２内で連結される副ケース１の軸３、５は、その最大径の部分が芯棒２２の内径より小さく形成されており、半径方向にガタを有しているので、主ケース１１に対して副ケース１がスムーズに回転しなくなった状況が生じても、糸巻２１が副ケース１に対して空回りするので、糸巻２１がスムーズに回転し、糸２３の取り出しがスムーズになる。
【００１８】
さらにこの実施形態では、主ケース１１から糸２３を引き出して使用した後、再度、その引き出した糸２３を使用する際の利便性を図ったものであるが、それは、引き出した糸２３を再使用の時まで主ケース１１の円筒１２の周面に巻き付けておくのである。糸の固定は、その先端を前記蓋１５の切り込み１６に挟んで行う。円筒１２の底部１３および蓋１５をフランジ状にしたのは、この円筒１２に巻き付けた糸２３が円筒１２の軸方向に沿ってずれた場合にそれをせき止めるためのものである。そして、この場合も、その糸２３を巻き付ける際の力は円筒１２の周面に加わり、主ケース１１内の糸巻２１には力が加わることがないので、糸巻２１の残糸から新たに糸２３を引き出す際にも取り出しがスムーズに行える。
【００１９】
さらにまた、前記主ケース１１の底部１３や蓋１５に設けられた穴１３’、１５’は、特に主ケース１１から多くの糸２３を引出して残糸が少なくなって糸巻２１が軽くなった際等に、さらに主ケース１１内から糸２３を引き出そうとして外部の糸２３を引っ張った際、副ケース１に保持された糸巻２１がケース１１内でそれまでより速く回転して余分な量の糸が引き出されるのを防ぐため、図７に示すように、人差し指を穴１５’（あるいは１３’）に差し入れ、その穴１５’から露出している副ケース１（底付き円筒２、４の表面）を押さえて、副ケース１、すなわち、糸巻２１の回転を抑制するためのものである。
【００２０】
なお、この実施形態では主ケース１１を円筒にしたが、円筒に限らず、断面多角形の角柱状の筒体としてもよい。
【００２１】
【発明の効果】
以上説明したように、この発明によれば、糸巻から引き出した糸を再使用するために巻き取っても、再使用の際にスムーズに糸が引き出せる。
【図面の簡単な説明】
【図１】実施形態を示す斜視図
【図２】糸巻の斜視図
【図３】副ケースで保持された状態の糸巻の断面図
【図４】糸巻、副ケース、主ケースの組み立て状態を示す斜視図
【図５】実施形態の使用状態を示す斜視図
【図６】実施形態の他の使用状態を示す斜視図
【図７】実施形態の使用状態を示す斜視図
【符号の説明】
１  副ケース
２、４  底付き円筒
３、５  軸
６  ウレタン
１１  主ケース
１２  円筒
１３  底部
１４  孔
１５  蓋
２１  糸巻
２２  芯棒
【図１】
0003708662.tif 000002
【図２】
0003708662.tif 000003
【図３】
0003708662.tif 000004
【図４】
0003708662.tif 000005
【図５】
0003708662.tif 000006
【図６】
0003708662.tif 000007
【図７】
0003708662.tif 000008